(57)【要約】【課題】電子掲示板装置３００を閲覧する個別の利用者に関係する複数の情報について、その優先度が高いものから視認しやすく再表示（提示）し、利用者の利便性を向上させる。【解決手段】閲覧者の顔の位置を検出する検出手段と、情報記憶媒体から閲覧者の個人識別情報を読込む読取手段とを備え、優先度が付加された表示情報の中から、個人識別情報に基づいて閲覧者に関係する情報を抽出して、閲覧者の顔の正面となる提示位置に優先度の高い順に最前面から重畳表示する。【選択図】図５
2011053611.tif 000002
【特許請求の範囲】
【請求項１】
記憶装置に記録された情報を表示面に表示する電子掲示板装置であって、
前記電子掲示板装置を閲覧しようとする利用者が前記電子掲示板装置に表示される画像を視認できる範囲を撮影して、撮影画像から閲覧者の顔の位置を検出する検出手段と、
前記電子掲示板装置を閲覧する利用者が所持する情報記憶媒体から個人識別情報を読込む読取手段と、
制御手段と、を備え、
前記表示面に表示される情報には優先度が付加されており、
前記制御手段は、表示されている多数の情報の中から、前記読取手段で読取った個人識別情報に基づいて、その閲覧者に関係する情報を抽出し、それら抽出された情報を、前記検出手段で検出した閲覧者の顔の正面となる提示位置に移動させ、各情報に付加された優先度に基づき優先度の高い順に最前面から重畳表示することを特徴とする電子掲示板装置。
【請求項２】
前記提示位置最前面の表示情報の閲覧者による閲覧履歴を登録する閲覧履歴テーブルを備え、閲覧の有無によって各情報に付加されている前記優先度が、変更されることを特徴とする請求項１に記載の電子掲示板装置。
【請求項３】
指示入力手段として前記表示面にタッチパネルを備え、
前記制御手段は、閲覧者が前記提示位置最前面に表示されている情報にタッチしたことを検出した場合を、当該情報の閲覧完了の指示と判定し、当該情報を移動もしくは非表示とし、その閲覧履歴テーブル登録されることを特徴とする請求項１または２に記載の電子掲示板装置。
【請求項４】
表示すべき情報に掲示期限を設定可能で、該掲示期限までの残り日数に応じて前記優先度が変更されることを特徴とする請求項１乃至３のいずれか１項に記載の電子掲示板装置。
【請求項５】
ネットワークを介して接続されたサーバから、前記表示する情報を取得することを特徴とする請求項１乃至４のいずれか１項に記載の電子掲示板装置。
【請求項６】
記憶装置に記録された情報を表示面に表示する電子掲示板装置としてのコンピュータに、
検出手段によって、閲覧しようとする利用者が前記電子掲示板装置に表示される画像を視認できる範囲を撮影して、撮影画像から閲覧者の顔の位置を検出するステップと、
読取手段によって、閲覧する利用者が所持する情報記憶媒体から個人識別情報を読込むステップと、
表示されている多数の情報の中から、前記読取手段で読取った個人識別情報に基づいて、その閲覧者に関係する情報を抽出するステップと、
前記抽出された情報を、前記検出手段で検出した閲覧者の顔の正面となる提示位置に移動させ、各情報に付加された優先度に基づき優先度の高い順に最前面から重畳表示するステップと、
を実行させることを特徴とする制御プログラム。
【発明の詳細な説明】
【技術分野】
【０００１】
本発明は、例えば病院、学校、会社などの不特定多数の人が集まる場所等で、連絡情報、通知などの掲示情報の表示を行う電子掲示板装置及び制御プログラムに関するものである。
【背景技術】
【０００２】
近年、不特定多数の人が集まる場所に設置され大画面の表示装置に掲示情報を掲示する電子掲示板装置（情報提供装置）が広く利用されている。この種の装置として、例えば、特許文献１には、検出された利用者の識別マークを含む付随情報と一般情報とを重畳した画像を前記表示手段に表示させることを特徴とする情報提供装置が開示されている。但し、特許文献１の情報提供装置では、一般情報と検出した利用者に関する付随情報とを重畳して表示させるものであり、検出した利用者に関する一般情報を抽出するものではない。
【０００３】
また、特許文献２には、画像表示装置に対する人物との距離、方角、顔の高さ、または移動方向のうちいずれか一つ以上についての情報を検出して、視認しやすい様に、表示する画像を修正または変更して表示することを特徴とする画像表示方法が提案されている。但し、特許文献２における画像表示方法は、利用者に関する画像情報だけを選択的に行うものではない。その他、表示装置にボタンやタッチパネルなどの入力手段を設け、この入力手段を閲覧者が操作することで、閲覧者の要求する内容を表示させるようにした装置も知られている。
【発明の概要】
【発明が解決しようとする課題】
【０００４】
しかしながら、上述した、従来の装置は、閲覧者を個々に区別することなく一律に同様の情報を提供しており、閲覧者は必要な情報を自分で探す必要があり、煩雑であった。また、複数の情報が均等に表示されていて、情報間の優先度は内容を読取るまで把握することはできなかった。
【０００５】
本発明は、上述した実状に鑑みてなされたもので、電子掲示板装置を閲覧する個別の利用者に関係する複数の情報について、その優先度が高いものから視認しやすく再表示（提示）することで、利用者の利便性を向上させることを目的としている。
【課題を解決するための手段】
【０００６】
上記課題を解決するために、請求項１に記載の発明は、記憶装置に記録された情報を表示面に表示する電子掲示板装置であって、前記電子掲示板装置を閲覧しようとする利用者が前記電子掲示板装置に表示される画像を視認できる範囲を撮影して、撮影画像から閲覧者の顔の位置を検出する検出手段と、前記電子掲示板装置を閲覧する利用者が所持する情報記憶媒体から個人識別情報を読込む読取手段と、制御手段とを備え、前記表示面に表示される情報には優先度が付加されており、前記制御手段は、表示されている多数の情報の中から、前記読取手段で読取った個人識別情報に基づいて、その閲覧者に関係する情報を抽出し、それら抽出された情報を、前記検出手段で検出した閲覧者の顔の正面となる提示位置に移動させ、各情報に付加された優先度に基づき優先度の高い順に最前面から重畳表示することを特徴とする。
【０００７】
また、請求項２に記載の発明は、請求項１に記載の電子掲示板装置において、前記提示位置最前面の表示情報の閲覧者による閲覧履歴を登録する閲覧履歴テーブルを備え、閲覧の有無によって各情報に付加されている前記優先度が、変更されることを特徴とする。
【０００８】
また、請求項３に記載の発明は、請求項１または２に記載の電子掲示板装置において、指示入力手段として前記表示面にタッチパネルを備え、前記制御手段は、閲覧者が前記提示位置最前面に表示されている情報にタッチしたことを検出した場合を、当該情報の閲覧完了の指示と判定し、当該情報を移動もしくは非表示とし、その閲覧履歴テーブル登録されることを特徴とする。
【０００９】
また、請求項４に記載の発明は、請求項１乃至３のいずれか１項に記載の電子掲示板装置において、表示すべき情報に掲示期限を設定可能で、該掲示期限までの残り日数に応じて前記優先度が変更されることを特徴とする。
【００１０】
また、請求項５に記載の発明は、請求項１乃至４のいずれか１項に記載の電子掲示板装置において、ネットワークを介して接続されたサーバから、前記表示する情報を取得することを特徴とする。
【００１１】
また、請求項６に記載の本発明の制御プログラムは、記憶装置に記録された情報を表示面に表示する電子掲示板装置としてのコンピュータに、検出手段によって、閲覧しようとする利用者が前記電子掲示板装置に表示される画像を視認できる範囲を撮影して、撮影画像から閲覧者の顔の位置を検出するステップと、読取手段によって、閲覧する利用者が所持する情報記憶媒体から個人識別情報を読込むステップと、表示されている多数の情報の中から、前記読取手段で読取った個人識別情報に基づいて、その閲覧者に関係する情報を抽出するステップと、前記抽出された情報を、前記検出手段で検出した閲覧者の顔の正面となる提示位置に移動させ、各情報に付加された優先度に基づき優先度の高い順に最前面から重畳表示するステップと、を実行させることを特徴とする。
【発明の効果】
【００１２】
本発明によれば、電子掲示板装置の閲覧者の識別情報を読取り、その閲覧者に関係する情報を抽出し、撮影画像による閲覧者の位置と顔の高さを検出することで、視認しやすい位置に抽出した情報を表示するようにしたので、閲覧者は、すべての表示情報を見ることなく、自分に関係する情報だけを視認しやすい位置で閲覧でき、かつ優先度が高い情報が最前面に表示されることになり、閲覧者は優先度が高い情報から閲覧することが可能になる。
【図面の簡単な説明】
【００１３】
【図１】本発明に係る電子掲示板システムの一実施形態を示したシステム構成図である。
【図２】同電子掲示板装置の外観図である。
【図３】同電子掲示板装置の機能構成の例を示すブロック図である。
【図４】実施形態におけるサーバの要部のブロック図である。
【図５】実施形態システムの動作概要を示す。
【図６】同電子掲示板装置における表示態様変更動作の一例を示すフローチャートである。
【図７】記憶装置に登録されている掲示情報に係るテーブルを示す図である。
【図８】表示画面の一例を示す図である。
【図９】表示画面の変遷フローの具体例を示す説明図である。
【図１０】記憶装置の保持するテーブル（閲覧履歴）の一例を示す説明図である。
【図１１】記憶装置の保持するテーブルの一例を示す説明図である。
【図１２】表示変遷フローを示す説明図である。
【図１３】記憶装置の保持するテーブルの一例を示す説明図である。
【発明を実施するための形態】
【００１４】
以下、図面を参照して、本発明の実施形態を詳細に説明する。なお、以下の説明において、「識別情報」を「ＩＤ情報」ともいう。図１は、本発明に係る情報掲示システムの一例として、電子掲示板システムの一実施形態を示したシステム構成図である。図１に示した電子掲示板システムは、掲示したい情報を入力するためのパソコン５００、情報のインフラとなるＬＡＮ等のネットワーク：ＮＷ、情報を表示（掲示）する情報掲示装置としての電子掲示板装置３００、表示される情報を蓄積・管理するサーバ４００により構成される。
【００１５】
ここで、パソコン（パーソナルコンピュータ）５００は、表示する掲示用情報等を入力しサーバ４００に登録して蓄積するための作業端末装置で、その構成は周知である。パソコン５００からは、掲示用情報と共に該メンバーに付与されている識別情報（ＩＤ情報とも記す。例えば、ユーザＩＤ等。）及び登録時刻を含めてネットワーク：ＮＷに接続されたサーバ４００に送信する。サーバ４００では各パソコンから受信した、電子掲示板装置３００に表示する情報、及び、各情報に付随する対象者情報を一元管理し、電子掲示板装置３００に送信して表示させる。なお、サーバ４００からこうした情報を入力することも可能とする。サーバ４００の管理する被管理情報は、後述するように電子掲示板装置３００側での閲覧完了の操作によって変更される（電子掲示板装置３００側の保持情報と同期がとられる）。
【００１６】
図２は、本実施形態に係る電子掲示板装置３００の外観図を、図３はその機能構成の例を示すブロック図を示している。電子掲示板装置３００は、電子掲示板システムの中心となる情報掲示装置である。この電子掲示板装置３００は、情報を表示する表示部１００とコントローラ部２００とを有していて、電子ペーパーによる表示を行う。
【００１７】
また、電子掲示板装置３００は、図２に示すように、表示部の上、左右に閲覧者の位置検出用の検出手段として位置検出カメラ２４０を備え、得られた撮影画像データを処理して閲覧者の顔位置を抽出する。また、閲覧者の識別情報を取得する識別情報取得装置としてＲＦＩＤ（Radio Frequency IDentification）受信装置２６０とアンテナ２６１を備え、取得した識別情報から、閲覧者に関係する表示情報を抽出する。
【００１８】
電子掲示板装置３００では、コントローラ部２００がネットワーク上のサーバ４００に一元管理されている掲示すべき情報、及び、各情報に付随する対象者情報をサーバ４００からダウンロードして記憶装置２３０に記憶するとともに画像データを表示部１００に対して出力し、表示部１００がその画像データを表示面（電子ペーパー１４０）上に掲示対象情報を文書体裁のデザインにして適宜配置で表示する。表示面上の配置位置や表示態様等については、後で順に詳細説明する。
【００１９】
表示部１００について説明する。図３に示すように、表示部１００は、画像記憶部１２０、表示制御部１３０、電子ペーパー１４０、タッチパネル１５０、インタフェース（以下、「Ｉ／Ｆ」という）部１６０、及び、制御部１９０を有する。ここでは、表示器として省電力な電子ペーパー１４０を用いた例を示すが、これに限らずＬＥＤ（Light-Emitting Diode）、プラズマディスプレイや液晶ディスプレイ、リアプロジェクションなどの大画面でしかも薄くすることが可能な表示器を使用したものであっても良い。
【００２０】
制御部１９０はＣＰＵを含み構成され、表示部１００が有する各部の制御を行う。制御部１９０は、Ｉ／Ｆ部１６０から入力される画像データを、電子ペーパー１４０に表示させる。電子ペーパー１４０は、電源が切断された際にも表示を継続する記憶性を有する画像表示媒体である。表示制御部１３０は、電子ペーパー１４０に対する駆動を行う。
【００２１】
表示器としての電子ペーパー１４０の表示面に設けられたタッチパネル１５０は、閲覧者が操作して後述する閲覧完了を通知するための入力装置として機能する。なお、タッチパネル１５０に替えて、押しボタンスイッチ等の適宜の閲覧者操作用の入力部を表示面の枠部等に設けるようにしても良い。
【００２２】
画像記憶部１２０は、コントローラ部２００から入力され、電子ペーパー１４０に表示される画像データを保持する。画像記憶部１２０は、例えば、メモリとして構成される。Ｉ／Ｆ部１６０は、コントローラ部２００との通信を行う。Ｉ／Ｆ部１６０から入力される情報は、例えば、電子ペーパー１４０に表示する画像データ等である。また、Ｉ／Ｆ部１６０から出力される情報は、例えば、タッチパネル１５０からの出力信号である。
【００２３】
次に、コントローラ部２００について説明する。コントローラ部２００は、図３の機能構成ブロック図に示すように、全体の動作の制御を行うＣＰＵを含み構成される制御部２９０、およびプログラムが記憶され実行されるメモリ２１０を備え、記憶装置２３０に記憶された情報をＩ／Ｆ部２７０を介して表示部１００に送出して表示させる。
【００２４】
また、表示部１００の枠体の左右の縁部および上部の３箇所に配設された位置検出カメラ２４０は、撮影した画像から閲覧者の位置、及び顔の位置を抽出するための（人物）検出手段として機能する。撮像画像処理部２５０は、位置検出カメラ２４０からの信号を処理して、閲覧者の顔の位置を特定する。更に、識別情報取得装置としてのＲＦＩＤ受信装置２６０が、閲覧者の識別情報を取得するために備えられており、表示部１００の上方には、ＲＦＩＤ受信アンテナ２６１が配設されている。ＲＦＩＤで用いられる無線の方式は特定されるものではない。たとえば、現在主流である１３．５６ＭＨｚ帯、２．４５ＧＨｚ帯の電波を利用したもの以外に、その他の周波数を利用したものを用いることもできる。識別情報取得方式としては、指紋や静脈等の生体認証をはじめ、ICカードやＲＦＩＤ等の方式があるが、その利便性からＲＦＩＤ等の非接触方式が望ましい方式である。コントローラ部２００は、その他、ネットワークＩ／Ｆ部２７１、電源部２８０を備えている。
【００２５】
電子掲示板装置３００に表示する情報、及び、各情報に付随する対象者情報は、ネットワーク上のサーバ４００に一元管理されていて、電子掲示板装置３００は、表示する情報をサーバ４００からダウンロードして記憶装置２３０に記憶するとともに表示する。なお、記憶装置２１０に記憶された内容は、サーバ４００における被管理情報と定期的に同期が図られ、何れか一方で変更があれば適宜反映されるものとする。
【００２６】
次に、図４は、本実施形態におけるサーバ４００の要部のブロック図である。サーバ４００は、ＣＰＵを主体に構成された既知のＰＣ（パソコン）と同等の構成を備えているが周知構成部分については図示を省略している。図示のように、サーバ４００は、ネットワークＩ／Ｆ部（送受信部）４０１、掲示用情報を格納するデータ格納部４０２、利用者情報を記憶するＩＤ情報部４０３、電子掲示板装置３００に表示するためのデータを生成する表示生成部４０４を含み構成されている。
【００２７】
ネットワークＩ／Ｆ部４０１は、ネットワーク：ＮＷを介してパソコン５００から入力される掲示用の各種情報をそれぞれ受信する。この時、各パソコン５００からの送信情報には、電子掲示板利用者（掲示文書閲覧対象者）を個々にあるいはグループ毎にまとめて指定する情報（対象者情報）が含まれている（付随している）。すなわち、電子掲示板利用者として特定グループの構成員を想定して、当該グループを指定することも可能であるものとする。データ格納部４０２は、ネットワークＩ／Ｆ部４０１より受信した各情報を蓄積し保持する。利用者（閲覧者）情報を記憶するＩＤ情報部４０３は、各利用者の識別情報のデータを保有し、前述のデータ格納部４０２に格納する情報に付帯する各利用者の識別情報と突合せを行う機能を備える。ネットワークＩ／Ｆ部４０１が、表示生成部４０４から出力される掲示用情報データを、電子掲示板装置３００に向けて送信する。
【００２８】
既述したように、電子掲示板装置３００側では制御部２９０が、ネットワークＩ／Ｆ部２７１を使ってネットワーク上に繋がっているサーバ（装置）４００から、自装置において表示する情報とその情報に付随する対象者情報をダウンロードして、記憶装置２３０に蓄積する。そして、蓄積された情報を読み出し、所定の表示態様で表示部１００に表示する。
【００２９】
図５に実施形態システムの表示態様変更動作の概要を模式的に示す。特に、本実施形態の場合、図５に示すように、電子掲示板装置３００の正面に人がいない間は、表示部１００上には、色々な情報が文書の形態を取って複数互いに重ならないように表示されている（図５上半分の模式図(a)参照）。このような表示がされている電子掲示板装置３００の前に、図５下半分の模式図(b)で示すように、閲覧する人が立つと、それを契機に表示態様が変更される。すなわち、その人に関係する情報（文書）だけが、顔の正面に移動して来る。更に、各情報の優先度に応じて優先度の高い情報ほど画面前面側に表示される。すなわち、最も高い優先度の情報文書全体が顔の正面に表示され、この文書の裏面側にその他の情報文書の一部が重なっているように重畳表示がされる。この間の処理について、以下、詳細に説明する。
【００３０】
上記の表示態様変更動作を実現するためのフローチャートを図６に示す。電子掲示板装置３００に備え付けられた位置検出カメラ２４０で撮影された画像から、閲覧者の顔位置を検出する(ステップS０１)。次に、ＲＦＩＤ受信装置２６０により、閲覧者の識別情報を取得し(ステップS０２)、表示されている情報の対象者情報に該当する情報を検索する(ステップS０３)。そして、ヒットした情報があれば(ステップS０４：Yes)、それらの情報を閲覧者の顔位置へ移動して表示する(ステップS０５)。
【００３１】
電子掲示板装置３００で、表示されている情報には、それぞれ対象者情報が、予め記憶装置２３０に登録されており、例えば、図７に示したテーブルのように登録されていると、取得した識別情報から閲覧者が「開発２課」の者であれば、「案内D」、「お知らせJ」、「グラフ１」を、全て閲覧者の正面に移動して表示させることになる。このとき、図７に示したように、A、B、C、・・なる、掲示情報に対する優先度が設定されていたとすると（この例では、Aが最も優先度が高く、B、C、・・・の順で優先度が下がっていくものとする）、閲覧者に対応して図８の表示画面例に示したように、「案内D」が最前面に表示され（すなわち、優先的に提示され）、次に「お知らせJ」、そして「グラフ１」の順で表示されることになる。なお、ＲＦＩＤ受信装置２６０により、閲覧者の識別情報を取得できない場合には、表示態様は変更されない。
【００３２】
本実施形態の電子掲示板装置３００は、上述したような表示態様変更機能を有しているので、これまでのように顔の位置を動かして表示されている掲示物を閲覧して自分に関係する情報を探す必要がなくなり、特に、優先度の最も高いものが提示されるため、利便性に優れる。
【００３３】
更に、上記提示動作完了後の動作について説明を続ける。閲覧者が閲覧過程で最前面に表示された掲示内容を読み終わった場合には、当該文書の表示（領域）に指先でタッチ操作することで、次の文書の提示へと表示形態が変更される。以下、この過程を詳述する。図３の電子掲示板装置３００において、制御部２９０は、タッチパネル１５０に閲覧者が触れたことを検出して、閲覧者は最前面に表示された情報を読んだと認識し、最前面に表示された情報に対する閲覧履歴を記憶装置２３０に記録した後、最前面の情報を元の表示位置に戻し、２番目に表示されていた（次優先度の）情報を最前面に再表示する。これに適合させて残る未閲覧の情報文書も再表示される。以降、同様の表示変更が、画面タッチに応じて順次繰り返される。
【００３４】
これらの表示画面の変遷の具体例を図９の表示画面変遷フローに沿って説明する。図９の例では、開発２課の山田さんが、電子掲示板装置３００の前に立つと、既述したように、山田さんの識別情報から対象情報（文書）が移動してきて、図９の「（ａ）：初期画面」の形で「案内D」を最前面にして山田さんの顔正面に重畳表示される。そして、最前面情報の「案内D」を確認後、タッチパネルに触れる操作があると、「案内D」は元の表示位置に戻り、対応して蓄積情報に山田さんの閲覧履歴が記録された後、二番目の「お知らせJ」が最前面情報になる（（ｂ）：タッチ後の画面）。さらに、最前面情報の「お知らせJ」を確認後、タッチパネルに触れると、「お知らせJ」が元の位置に戻り、山田さんの閲覧履歴が記録され、三番目の「グラフ１」が最前面情報になる（（ｃ）：タッチ後の画面）。
【００３５】
この状態で、山田さんが立ち去ると、三番目の「グラフ１」には、閲覧履歴が記録されずに、元の位置に戻って表示される。この例示では、図１０のテーブル（閲覧履歴）に示したように、「案内D」と「お知らせJ」には山田さんの閲覧履歴が記録されるが、「グラフ１」には記録されないことになる。
【００３６】
本実施形態では、閲覧者の閲覧履歴によって、情報に付加されている優先度が閲覧者単位で変更されるようになっているので、未読情報を優先的に閲覧することができ、効率的な情報閲覧ができる。
【００３７】
例として、図１１に示すテーブルのように、掲示情報に対する初期優先度が設定されていたとする。そして、例えば、開発２課の山田さんが電子掲示板装置３００の前に立つと、図１２の表示画面変遷フローに示すように、山田さんの識別情報から対象情報が移動してきて、図１２の「（ａ）：初期画面」の形で顔正面に表示される。そして、「案内D」と「お知らせJ」を確認し、それぞれタッチパネルに触れると、「案内D」と「お知らせJ」には山田さんの閲覧履歴が記録され、両方の優先度は山田さんにとっては「Z」に変更される。そして、次回に、山田さんが電子掲示板装置３００の前に立った場合には、図１２の「（ｂ）：２回目の画面」のように、閲覧記録がない「グラフ１」の初期優先度Cが適用されて最前面に表示され、「案内D」と「お知らせJ」については山田さんにとっての優先度Zが適用され、「グラフ１」の背面に表示される。
【００３８】
このように、最初に電子掲示板装置３００の前に立ったときは、「（ａ）：初期画面」が顔位置に表示され、「案内D」と「お知らせJ」を確認した後の２回目には、「（ｂ）：２回目の画面」が表示されることになる。あるいは、閲覧記録がある優先度Zの掲示情報については、対応する表示（文書）は顔位置に移動しないように処理しても良い（「（ｂ′）：２回目の画面」参照）。
【００３９】
上述のように、本実施形態においては閲覧者が表示されている情報にタッチするだけで、閲覧が完了したことを指示でき、その閲覧履歴が登録され、次の情報の閲覧へと簡単な操作で進むことができる。また、閲覧者の閲覧履歴によって、情報に付加されている優先度が変更されるので、未読情報を優先的に閲覧することができ、効率的な情報閲覧が可能になっている。
【００４０】
なお、優先度は、装置の環境（例えば、日時の経過）に応じて自動的に適切に更新がなされるのが好ましい。例として、図１３に示したように、記憶装置２３０の保持するテーブルに掲示期限の項目が設けられており、また、掲示情報に対する初期優先度が図のように設定されているものとする。そして、日付が2001/1/20になったとすると、「グラフ１」の掲示期限が2001/1/25であることから残り日数が５日となっており、これに対応して実際に参照される優先度を初期のＣからＡにと高い優先度に変更している。これにより、掲示期限が近付いた情報が最前面に表示されることになり、閲覧者の閲覧漏れを防ぐことができる。
【００４１】
ここで、残り日数に対する優先度の変更を数段階で行うように構成しても良い。例えば、残り日数が１０日であれば優先度をＢとし、残り日数が５日になったら優先度をＡに再度変更するようにすれば、より適切な順序で表示することが可能になる。
【００４２】
以上説明したように、本実施形態によれば、閲覧者の識別情報を読取ることで、その利用者に関係する情報を抽出し、撮影画像による閲覧者の位置と顔の高さを検出することで、視認しやすい位置に抽出した情報を表示することができ、閲覧者は、すべての表示情報を見ることなく、自分に関係する情報だけを視認しやすい位置で閲覧でき、かつ優先度が高い情報が最前面に表示されることになり、閲覧者は優先度が高い情報から閲覧することが可能になる。
【００４３】
また、本実施形態によれば、閲覧者が表示されている情報にタッチするだけで、閲覧が完了したことを指示でき、その閲覧履歴が登録され、次の情報の閲覧へと簡単な操作で進むことができる。また、本実施形態によれば、閲覧者の閲覧履歴によって、情報に付加されている優先度が変更されるので、未読情報を優先的に閲覧することができ、効率的な情報閲覧が可能になる。また、本実施形態によれば、掲示期限の残り日数によって優先度が変更されることから、掲示期限が迫った情報から閲覧することができ、情報の閲覧を逃すことを防止できる。
【００４４】
なお、上述した実施の形態では、電子掲示板装置３００に表示する情報をネットワーク上のサーバ４００で一元管理するようにしている。しかし、既述したサーバ４００の情報管理機能を電子掲示板装置３００に持たすようにしても良く、そうした構成も本発明に含まれる。
【００４５】
本発明の実施の形態に係る夫々の処理は、例えば、制御部の主要構成であるＣＰＵがＲＯＭやハードディスク装置等に記憶されたコンピュータプログラム（制御プログラム）に従い、ＲＡＭ等のメインメモリをワークエリアとして使用し、実行される。また、本発明の実施の形態に係るコンピュータプログラムは、適宜の記憶部あるいは記録媒体に装置が読取り可能な形態で格納される。
【００４６】
以上、発明の好適な実施の形態について説明を行ったが、上述した実施形態は、本発明の好適な実施の形態の一例を示すものであり、本発明はそれに限定されることなく、その要旨を逸脱しない範囲内において、種々変形実施が可能である。例えば、外部からの操作（外部からの操作指示指令の受信）により、優先度を変更可能にする等しても良い。
【００４７】
また、電子掲示板装置３００に近付いた利用者の情報記憶媒体から自動的に識別情報を読込んでしまうのではなく、通信範囲が近距離の非接触型ＩＤカードをＲＦＩＤ受信装置（リーダ）が設置された場所に近づけたり、接触型ＩＤカードを読取手段としてのカードスロットに入れたりして、利用者に明示的に識別情報の提示を求めるようにしてから識別情報を読込むようにしてもよい。その他、表示器としてＬＥＤ（Light-Emitting Diode）、プラズマディスプレイや液晶ディスプレイ、リアプロジェクションを採用した構成としてもよい。
【符号の説明】
【００４８】
１００    表示部
１２０    画像記憶部
１３０    表示制御部
１４０    電子ペーパー（表示器）
１５０    タッチパネル
１６０    Ｉ／Ｆ部
１９０    制御部
２００    コントローラ部
２１０    メモリ
２３０    記憶装置
２４０    位置検出カメラ
２５０    撮像画像処理部
２６０    ＲＦＩＤ受信装置
２６１    ＲＦＩＤ受信アンテナ
２７０    Ｉ／Ｆ部
２７１    ネットワークＩ／Ｆ部
２８０    電源部
２９０    制御部
３００    電子掲示板装置（情報表示装置）
４００    サーバ（装置）
４０１    ネットワークＩ／Ｆ部
４０２    データ格納部
４０３    ＩＤ情報部
４０４    表示生成部
５００    パソコン
ＮＷ    ネットワーク
【先行技術文献】
【特許文献】
【００４９】
【特許文献１】特許第４０５７６３１号公報
【特許文献２】特開２００１−３１９２１７号公報
【図１】
2011053611.tif 000003
【図２】
2011053611.tif 000004
【図３】
2011053611.tif 000005
【図４】
2011053611.tif 000006
【図５】
2011053611.tif 000007
【図６】
2011053611.tif 000008
【図７】
2011053611.tif 000009
【図８】
2011053611.tif 000010
【図９】
2011053611.tif 000011
【図１０】
2011053611.tif 000012
【図１１】
2011053611.tif 000013
【図１２】
2011053611.tif 000014
【図１３】
2011053611.tif 000015